(57)【要約】【課題】高さ調整を容易かつ効率よく実施できるスペーサー類を提供する。【解決手段】基礎スペーサー（１０）はベース部材（１１）と、ベース部材（１１）の上方に配置される受け部材（２１）と、ベース部材と受け部材との間に配置され、水平方向に移動することにより、ベース部材と受け部材との間隔を変化させる高さ調整部材（３１）と、ベース部材と受け部材との間に配置され、高さ調整部材を水平方向に移動させる操作機構（４１）とを備える。【選択図】図１
2014163078.tif 000002
【特許請求の範囲】
【請求項１】
建物の基礎および梁間に配置されるスペーサーであって、
前記基礎に載置されるベース部材と、
前記ベース部材の上方に配置されて前記梁を下方から支持する受け部材と、
前記ベース部材と前記受け部材との間に配置され、水平方向に移動することにより、前記ベース部材と前記受け部材との間隔を変化させる高さ調整部材と、
前記ベース部材と前記受け部材との間に配置され、前記高さ調整部材を前記水平方向に移動させる操作機構とを備える、基礎スペーサー。
【請求項２】
前記ベース部材の上面または前記受け部材の下面は、前記高さ調整部材の水平移動方向の一方側から他方側に向かって高さが変化するように傾斜し、前記高さ調整部材と接触する傾斜面である、請求項１に記載の基礎スペーサー。
【請求項３】
前記高さ調整部材は、前記ベース部材および前記受け部材間に挟まれるように配置され、前記高さ調整部材の水平移動方向の一方側を先端とし他方側を末端とし、前記末端から前記先端に向かって上下方向寸法が徐々に小さくなるよう先細に形成される、請求項２に記載の基礎スペーサー。
【請求項４】
前記高さ調整部材の下面および上面は、前記先端から前記末端まで広がる平坦面にそれぞれ形成される、請求項３に記載の基礎スペーサー。
【請求項５】
前記高さ調整部材の下面と接触する前記ベース部材の上面は、前記先端から前記末端に向かって徐々に低くなる傾斜した平坦面であり、
前記高さ調整部材の上面と接触する前記受け部材の下面は、水平な平坦面である、請求項４に記載の基礎スペーサー。
【請求項６】
前記受け部材は下方へ突出する上側突起部を有し、
前記ベース部材は上方へ突出して、前記上側突起部と上下方向に摺動可能に接触する下側突起部を有する、請求項１〜５のいずれかに記載の基礎スペーサー。
【請求項７】
前記操作機構は、前記高さ調整部材に設けられた雌ねじ孔と、前記高さ調整部材の水平移動方向に延びて前記雌ねじ孔に螺合する位置調整ねじと、前記ベース部材に設けられて前記位置調整ねじを前記高さ調整部材の水平移動方向に移動不能に規制するねじ係合部とを含む、請求項１〜６のいずれかに記載の基礎スペーサー。
【請求項８】
前記受け部材を前記ベース部材に固定する受け部材固定手段をさらに備える、請求項１〜７のいずれかに記載の基礎スペーサー。
【請求項９】
前記操作機構および前記受け部材固定手段は、前記高さ調整部材の水平移動方向の一方側に配置される、請求項８に記載の基礎スペーサー。
【請求項１０】
前記受け部材を前記ベース部材に固定する第２の受け部材固定手段をさらに備え、前記第２の受け部材固定手段は、前記高さ調整部材の水平移動方向の他方側に配置される、請求項９に記載の基礎スペーサー。
【請求項１１】
前記受け部材固定手段は、前記ベース部材に設けられて水平方向に貫通する雌ねじ孔と、前記受け部材に設けられて上下方向に延びる長孔と、前記長孔に通され前記雌ねじ孔と螺合して前記ベース部材および前記受け部材を連結固定する固定ねじとを含む、請求項８〜１０のいずれかに記載の基礎スペーサー。
【請求項１２】
前記受け部材固定手段は、前記高さ調整部材の水平移動方向の一方側に配置される第１の受け部材固定手段と、前記高さ調整部材の水平移動方向の他方側に配置され第２の受け部材固定手段とを含み、前記第１および第２の受け部材固定手段の固定ねじの頭部が、高さ調整部材の水平移動方向の一方側に配置される、請求項１１に記載の基礎スペーサー。
【発明の詳細な説明】
【技術分野】
【０００１】
本発明は、建築分野において、建物の基礎の上に載置されて、基礎の高さ調整に用いられるスペーサーに関する。
【背景技術】
【０００２】
建築施工において、コンクリート等で建物の基礎を構築し、基礎天端には木製あるいは鋼製の土台あるいは大引といった梁が水平に載せられる。ところが基礎天端が所定の高さに揃っていない場合には、土台あるいは大引といった梁が傾く等の不都合が生じるため、基礎天端の高さ調整を行う必要がある。基礎天端の高さ調整として例えば、基礎天端を削ったり、基礎天端に予め成形されたスペーサーを載せたり、薄い金属製プレートを重ねて載せたり等の措置がとられていた。この場合、労務的な負担が大きくなるばかりでなく、工具および複数種類のスペーサーを準備しなければならず、手間がかかっていた。また薄い金属製プレートを重ねるだけでは大引を安定して支持することができない。
【０００３】
基礎天端の高さ調整を容易にするための技術として例えば特開２００９−１９４２７号公報（特許文献１）や、特開２００２−３０９６８４号公報（特許文献２）や、特開２００６−１０４８４３号公報（特許文献３）に記載のスペーサー類がこれまで提案されている。特許文献１〜３に記載のスペーサー類は、基礎天端に載置され、梁を下方から支持するものであり、梁に接触する上部材と基礎天端に接触する下部材とを備える。上部材と下部材は互いに接触し、これら両者の接触面が傾斜面にされている。そして傾斜面の接触箇所を相対的にずらすことによりスペーサー類の高さを調整するというものである。
【先行技術文献】
【特許文献】
【０００４】
【特許文献１】特開２００９−１９４２７号公報
【特許文献２】特開２００２−３０９６８４号公報
【特許文献３】特開２００６−１０４８４３号公報
【発明の概要】
【発明が解決しようとする課題】
【０００５】
しかし、上記従来のようなスペーサー類にあっては、なおも改善すべき点がある。つまり特許文献１のスペーサーにあっては、六角穴に六角レンチ等の工具を挿入して伝達軸を回転させて高さ調整するため、六角穴の配置の如何によって高さ調整が困難であった。例えば建築施工現場において基礎天端にスペーサー類を載置して高さ調整する場合、作業者が建物の外側にいる場合に高さ調整することが可能であっても、作業者が建物の内側にいる場合には高さ調整できない場合がある。
【０００６】
また建築施工現場において先に基礎天端にスペーサー類を載置し、次にスペーサー類の上に土台あるいは大引といった梁を載置すると、上部材が梁を支持し、下部材が基礎に支持されるため、もはやスペーサー類の高さ調整を行うことができない。したがって、先にスペーサー類の高さ調整を済ませておき、次に梁をスペーサー類に載置する必要があった。このため施工手順が限定されてしまい、梁を載置する作業と、梁の高さ調整を並行して作業することが不可能であった。
【０００７】
本発明は、上述の実情に鑑み、高さ調整を容易かつ効率よく実施できるスペーサー類を提供することを目的とする。
【課題を解決するための手段】
【０００８】
この目的のため本発明による基礎スペーサーは、建物の基礎および梁間に配置されるスペーサーであって、木礎に載置されるベース部材と、ベース部材の上方に配置されて梁を下方から支持する受け部材と、ベース部材と受け部材との間に配置され、水平方向に移動することにより、ベース部材と受け部材との間隔を変化させる高さ調整部材と、ベース部材と受け部材との間に配置され、高さ調整部材を水平方向に移動させる操作機構とを備える。
【０００９】
かかる本発明によれば、操作機構がベース部材と受け部材との間に配置されることから、梁を受け部材に載置した後に梁の高さ調整を行うことができる。したがって、梁の載置と、梁の高さ調整を並行して行うことができる。
【００１０】
高さ調整部材の形状および構造は特に限定されない。本発明による基礎スペーサーは仮設用ではなく本設用であるから、経年変化しない構造であればよい。また同様にベース部材の上面または受け部材の下面の形状および構造も特に限定されない。一実施形態としてベース部材の上面または受け部材の下面は、高さ調整部材の水平移動方向の一方側から他方側に向かって高さが変化するように傾斜し、高さ調整部材と接触する傾斜面である。かかる実施形態によれば、高さ調整部材が傾斜面に沿ってせり上がることによって受け部材を高くすることができ、反対に高さ調整部材が傾斜面を下ることによって受け部材を低くすることができる。なお高さ調整部材の形状は傾斜面を摺動するくさび形状であってもよいし、あるいは傾斜面を転がる円柱形状であってもよいし、他の形状であってもよい。他の実施形態としてベース部材の上面および受け部材の下面は共に水平な平坦面であって、高さ調整部材はＸ字状にクロスした２部材であって、２部材の交差角度を変化させる構造でもよい。
【００１１】
好ましい実施形態として高さ調整部材は、ベース部材および受け部材間に挟まれるように配置され、高さ調整部材の水平移動方向の一方側を先端とし他方側を末端とし、末端から先端に向かって上下方向寸法が徐々に小さくなるよう先細に形成される。かかる実施形態によれば、先細に形成された高さ調整部材の先端方向に、当該高さ調整部材を水平移動させることよって受け部材を高くすることができる。反対に先太に形成された高さ調整部材の末端方向に、当該高さ調整部材を水平移動させることよって受け部材を低くすることができる。
【００１２】
高さ調整部材は、当該高さ調整部材の末端から先端に向かって上下方向寸法が徐々に小さくなるよう先細に形成されていればよく、具体的な形状は特に限定されない。高さ調整部材は、水平方向先端が先細に、水平方向末端が先太に形成されるものであれば、上述した作用を発揮することができる。より好ましい実施形態として高さ調整部材の下面および上面は、先端から末端まで広がる平坦面にそれぞれ形成される。かかる実施形態によれば、高さ調整部材の下面および上面が平坦面に形成されることから、高さ調整部材を水平方向に円滑に移動させることができる。また受け部材とベース部材との間配置されてこれら受け部材およびベース部材に挟まれる高さ調整部材が、側方からみて先細のくさび形状に形成される。これにより、高さ調整部材が水平方向先端側へ移動すると、受け部材とベース部材との間隔が大きくなる。したがって、受け部材を高くすることができる。あるいは、高さ調整部材が水平方向末端側へ移動すると、受け部材とベース部材との間隔が小さくなる。したがって、受け部材を低くすることができる。また受け部材に土台あるいは大引といった梁を載置しつつ、受け部材の高さ調整することが可能になる。
【００１３】
さらに好ましい実施形態として高さ調整部材の下面と接触するベース部材の上面は、先端から末端に向かって徐々に低くなる傾斜した平坦面であり、高さ調整部材の上面と接触する受け部材の下面は、水平な平坦面である。これにより高さ調整部材は、受け部材を水平に安定して支持することができる。好ましくは、高さ調整部材の下面は、水平方向先端側から水平方向末端側まで広がる平坦面に形成され、高さ調整部材の下面と接触するベース部材の上面も平坦面に形成される。また好ましくは、高さ調整部材の上面は、水平方向先端側から水平方向末端側まで広がる平坦面に形成され、高さ調整部材の上面と接触する受け部材の下面は、平坦面に形成される。これにより、高さ調整部材の移動距離に比例して、受け部材の高さ位置を調整することができる。
【００１４】
受け部材は、ベース部材に対して水平移動不能に規制されていることが好ましい。一実施形態として受け部材は下方へ突出する上側突起部を有し、ベース部材は上方へ突出して、上側突起部と上下方向に摺動可能に接触する下側突起部を有する。かかる実施形態によれば、受け部材の上側突起部がベース部材の下側突起部に接触するから、受け部材の水平方向の移動が規制される。したがって受け部材がベース部材から水平方向に逸脱する虞がない。そして上側突起部と下側突起部とが水平移動不能に係合しつつ、受け部材の高さ位置は変化可能とされる。
【００１５】
操作機構は様々な形態により実現可能である。一実施形態として操作機構は、高さ調整部材に設けられた雌ねじ孔と、高さ調整部材の水平移動方向に延びて雌ねじ孔に螺合する位置調整ねじと、ベース部材に設けられて位置調整ねじを高さ調整部材の水平移動方向に移動不能に規制するねじ係合部とを含む。かかる実施形態によれば、位置調整ねじを回動させることにより高さ調整部材を水平移動方向に進退動させることができる。したがって受け部材の高さ調整作業が容易になる。また、位置調整ねじの回動角度を適宜選定することにより、微視的な高さ調整が可能になる。
【００１６】
好ましい実施形態として、受け部材をベース部材に固定する受け部材固定手段をさらに備える。かかる実施形態によれば、受け部材の高さ調整が完了した後、受け部材固定手段によって受け部材をベース部材に固定すれば、受け部材の高さ位置が不用意に変化することがない。
【００１７】
一般的な梁は長尺であり、作業者の膝ないし腰の高さに設置される。作業者は梁の両側方のうち一方の側方に身を置いて作業する。そこで好ましい実施形態として、操作機構および受け部材固定手段は、高さ調整部材の水平移動方向の一方側に配置される。かかる実施形態によれば、梁の一方の側方に、高さ調整部材の水平移動方向の一方側を合わせておくことにより、高さ調整作業および受け部材固定作業を効率よく進めることができる。なお、操作機構の配置箇所や受け部材固定手段の配置箇所は特に限定されず、他の実施形態として、操作機構および受け部材固定手段は、高さ調整部材の水平移動方向の一方側および他方側にそれぞれ配置されてもよい。他の実施形態として操作機構および受け部材固定手段は、高さ調整部材の水平移動方向に対して直角な方向の両側あるいは片側に配置されてもよい。
【００１８】
好ましい実施形態として受け部材をベース部材に固定する第２の受け部材固定手段をさらに備え、第２の受け部材固定手段は、高さ調整部材の水平移動方向の他方側に配置される。かかる実施形態によれば、高さ調整部材の水平移動方向の両側で、受け部材をベース部材に固定することができる。
【００１９】
受け部材固定手段は様々な形態により実現可能である。一実施形態として受け部材固定手段は、ベース部材に設けられて水平方向に貫通する雌ねじ孔と、受け部材に設けられて上下方向に延びる長孔と、長孔に通され雌ねじ孔と螺合してベース部材および受け部材を連結固定する固定ねじとを含む。かかる実施形態によれば、固定ねじを締め付けることにより受け部材をベース部材に固定することができる。したがって受け部材の固定作業が容易になる。他の実施形態として水平方向に貫通する貫通孔を受け部材に設け、上下方向に延びる長孔をベース部材に設けてもよい。
【００２０】
より好ましい実施形態として受け部材固定手段は、高さ調整部材の水平移動方向の一方側に配置される第１の受け部材固定手段と、高さ調整部材の水平移動方向の他方側に配置され第２の受け部材固定手段とを含み、第１および第２の受け部材固定手段の固定ねじの頭部が、高さ調整部材の水平移動方向の一方側に配置される。かかる実施形態によれば、梁の一方の側方に、高さ調整部材の水平移動方向の一方側を合わせておくことにより、高さ調整作業および受け部材固定作業を効率よく進めることができる。
【発明の効果】
【００２１】
このように本発明によれば、土台あるいは大引といった梁を受け部材に載置したまま、受け部材の高さ調整が可能である。したがって梁を載置する作業と、梁の高さ調整作業を並行して作業することができる。この結果、高さ調整を容易かつ効率よく実施できる。
【図面の簡単な説明】
【００２２】
【図１】本発明の一実施形態になる基礎スペーサーを示す斜視図である。
【図２】同実施形態の基礎スペーサーを示す分解斜視図である。
【図３】同実施形態の基礎スペーサーを示す平面図である。
【図４】同実施形態の基礎スペーサーを示す底面図である。
【図５】同実施形態の基礎スペーサーを示す正面図である。
【図６】同実施形態の基礎スペーサーを示す背面図である。
【図７】同実施形態の基礎スペーサーを示す左側面図である。
【図８】基礎スペーサーの取り付け手順を示す説明図である。
【図９】基礎スペーサーの取り付け手順を示す説明図である。
【図１０】本発明の他の実施形態になる基礎スペーサーを模式的に示す説明図である。
【図１１】本発明のさらに他の実施形態になる基礎スペーサーを模式的に示す説明図である。
【図１２】本発明の別の実施形態になる基礎スペーサーを模式的に示す説明図である。
【発明を実施するための形態】
【００２３】
以下、本発明の実施の形態を、図面に基づき詳細に説明する。
【００２４】
図１は、本発明の一実施形態になる基礎スペーサーを示す斜視図である。図２は、同実施形態の基礎スペーサーを示す分解斜視図である。図３は、同実施形態の基礎スペーサーを示す平面図である。図４は、同実施形態の基礎スペーサーを示す底面図である。図５は、同実施形態の基礎スペーサーを示す正面図である。図６は、同実施形態の基礎スペーサーを示す背面図である。図７は、同実施形態の基礎スペーサーを示す左側面図である。基礎スペーサー１０は、建物の基礎天端に所定間隔に複数載置されて、土台あるいは大引等と称する長尺な梁を水平に支持する。基礎スペーサー１０は、下側に配置されるベース部材１１と、上側に配置される受け部材２１と、ベース部材１１および受け部材２１間に挟まれるように配置される高さ調整部材３１とを備える。高さ調整部材は水平方向先端３１ｐから水平方向末端３１ｑまで延びる。そして図２に示すように、水平方向先端３１ｐと水平方向末端３１ｑを直線で結ぶ水平移動方向Ｄに移動可能である。ベース部材１１、受け部材２１、および高さ調整部材３１は、厚み一定の鋼板を打ち抜き、曲げ加工された金物である。
【００２５】
ベース部材１１は、平坦な下面１３と、この下面１３から隆起した平坦な傾斜面である上面１２を有し、コンクリート製の基礎に載置される。上下方向視において下面１３は上面１２の四方を取り囲むように広がる。下面１３には、基礎天端に取付固定するための貫通孔１３ｈが、上面１２から離れた箇所に複数穿設されている。本実施形態では、貫通孔１３ｈが上面１２よりも水平方向先端側および末端側にそれぞれ２箇所ずつ配置される。また各貫通孔１３ｈは水平移動方向Ｄと直角方向（以下、側方という）に離れるように、上面１２よりも一方の側方および他方の側方にそれぞれ配置される。各下面１３は基礎天端に水平に載置される。また下面１３には、後述する各貫通孔２５ｈに対応する箇所に開口１３ｏないし切り欠き１３ｃが設けられる。
【００２６】
上面１２は、ベース部材１１の中心に配置され、水平移動方向Ｄを長手方向とする長方形であって、水平移動方向Ｄの先端側で最も高くなり、水平移動方向Ｄの末端側に向かって徐々に低くなる。ベース部材１１のうち水平移動方向Ｄの末端側には、後述する操作機構４１と受け部材固定手段５１，６１が配設される。またベース部材１１のうち水平移動方向Ｄの先端側には、後述する第２の受け部材固定手段７１が配設される。
【００２７】
受け部材２１は、厚み一定であり、水平な中央部２５と、中央部２５のうち水平移動方向Ｄに離隔した両端側から上方に突出して互いに対向する１対の壁部２６とを有する。中央部２５および１対の壁部２６は、受け部材２１の側方からみてコ字状をなす。そして受け部材２１は、１対の壁部２６間に梁を安定して保持し、中央部２５で梁の荷重を受け止める。中央部２５は梁と接触する上面２２と、高さ調整部材３１と接触する下面２３を有する。
【００２８】
水平な中央部２５には、梁に取付固定するための貫通孔２５ｈが、高さ調整部材３１から離れた箇所に複数穿設されている。本実施形態では、貫通孔２５ｈが水平移動方向Ｄの先端側および末端側にそれぞれ２箇所ずつ配置される。また各貫通孔２５ｈは高さ調整部材３１よりも一方の側方および他方の側方にそれぞれ配置される。
【００２９】
中央部２５のうち水平移動方向Ｄの先端側部位には、下方へ突出する壁状の突起部２４がさらに設けられる。突起部２４は、図７に示すように、突起部２４よりも水平移動方向Ｄ内側に配置された高さ調整部材３１の水平方向先端３１ｐと対向する。また突起部２４は、突起部２４よりも水平移動方向Ｄ内側に配置された上面１２のうち最も高く隆起した水平移動方向Ｄの先端部１２ｐとも対向する。
【００３０】
高さ調整部材３１は側方からみてくさび形状であり、水平方向末端３１ｑから水平方向先端３１ｐに向かって上下方向寸法が徐々に小さくなるよう先細に形成される。高さ調整部材３１の上面３３は、水平方向先端３１ｐから水平方向末端３１ｑまでを長手方向とする平坦な長方形である。高さ調整部材３１の水平方向末端３１ｑは、上面３３に対して直角な端面を構成する。
【００３１】
高さ調整部材３１の下面３２は、上面３３の一方および他方の側方にそれぞれ設けられて面一になる。下面３２は、水平方向先端３１ｐから水平方向末端３１ｑまでを長手方向とする平坦な長方形である。高さ調整部材３１の両側縁には、下面３２から突出して下方へ延びる壁状の案内部材３５がそれぞれ設けられる。１対の案内部材３５は、下面１３から隆起する上面１２を抱えるように保持する。これにより高さ調整部材３１は上面１２から側方へ外れることがなく、上面１２に接触したまま水平移動方向Ｄに摺動可能に案内される。
【００３２】
下面３２、上面３３、および水平方向末端３１ｑは高さ調整部材３１の側方からみて直角三角形の輪郭をなす。高さ調整部材３１の下面３２と上面３３がなす角度は、ベース部材１１の上面１２と下面１３がなす角度と等しい。これにより、ベース部材１１の下面１３と、高さ調整部材３１の上面３３は平行となる。
【００３３】
ベース部材１１の下面１３が水平のとき、互いに面接触する高さ調整部材３１の上面３３および受け部材２１の下面２３も水平になる。さらに受け部材２１の上面２２も水平になる。これに対し、互いに面接触する高さ調整部材３１の下面３２およびベース部材１１の上面１２は、水平方向先端３１ｐから水平方向末端３１ｑに向かって徐々に低くなる傾斜面である。
【００３４】
したがって、ベース部材１１の下面１３が基礎天端に水平に載置されると、受け部材２１の上面２２も水平に維持される。高さ調整部材３１を移動可能にするため、高さ調整部材３１の下面３２と上面３３がなす角度は、１°以上４５°未満の鋭角である。高さ調整の範囲を大きくする場合は、角度を大きくするとよい。円滑な移動と高さ調整範囲の両立のため、下面３２と上面３３がなす角度は好ましくは１０°〜３０°である。
【００３５】
上面１２および下面３２のいずれか一方には摩擦係数を低くするための処理が施される。上面３３および下面２３のいずれか一方にも摩擦係数を低くするための処理が施される。例えば上面１２や下面２３にポリオレフィンのフィルムを貼着する。これにより、高さ調整部材３１は、ベース部材１１と受け部材２１との間を円滑に摺動可能とされる。
【００３６】
基礎スペーサー１０は、高さ調整部材３１を水平移動方向Ｄに移動させる操作機構４１をさらに備える。操作機構４１は、水平移動方向Ｄに延びる位置調整ねじ４２と、雌ねじ孔３４と、ねじ係合部１４とを含む。位置調整ねじ４２は十字溝が形成された正六角形の頭部４３と、外周面に雄ねじが形成された軸部４４を有する。軸部４４は、鉛直な端面である水平方向末端３１ｑに形成された雌ねじ孔３４に螺合する。頭部４３は水平移動方向Ｄの外側に配置される。
【００３７】
ベース部材１１のうち水平移動方向Ｄの末端側には、上方へ突出する鉛直壁状のねじ係合部１４が設けられる。ねじ係合部１４は、鉛直壁状の水平方向末端３１ｑと対面する。またねじ係合部１４には、ねじ係合部１４の上縁から下方に延びる切り欠き１５が形成される。そして切り欠き１５には、水平移動方向Ｄの外側から位置調整ねじ４２の軸部４４が通される。そして頭部４３はねじ係合部１４に係合して水平移動方向Ｄの移動を規制される。ただし頭部は切り欠き１５に沿って上下方向の移動を許容される。
【００３８】
受け部材２１は、下方へ突出する上側突起部を複数有する。本実施形態では、水平移動方向Ｄの末端側に２個の鉛直壁状の上側突起部２７を有し、水平移動方向Ｄの先端側に１個の鉛直壁状の上側突起部２８を有する。
【００３９】
またベース部材１１は、上方へ突出する下側突起部を複数有する。本実施形態では、水平移動方向Ｄの末端側に２個の鉛直壁状の下側突起部１７を有し、水平移動方向Ｄの先端側に１個の鉛直壁状の下側突起部１８を有する。上側突起部２７は下側突起部１７からみて水平移動方向Ｄの外側にあり、上側突起部２７および下側突起部１７は互いに接触する。また上側突起部２８は下側突起部１８からみて水平移動方向Ｄの内側にあり、上側突起部２８および下側突起部１８は互いに接触する。これにより受け部材２１は水平移動方向Ｄの先端側への移動が規制される。ただし上側突起部２７，２８が下側突起部１７，１８に摺接することにより、受け部材２１は上下方向の移動が許容される。
【００４０】
基礎スペーサー１０の高さ調整作業について説明する。
【００４１】
受け部材２１を高くする場合、作業者は水平移動方向Ｄの末端側からねじ回しを用いて位置調整ねじ４２の頭部４３を反時計回りに回動させる。そうすると位置調整ねじ４２の軸部４４が高さ調整部材３１を水平移動方向Ｄの先端側に繰り出す。そして高さ調整部材３１は上面１２を上る。これにより受け部材２１は上昇する。
【００４２】
受け部材２１を低くする場合、作業者は水平移動方向Ｄの末端側からねじ回しを用いて位置調整ねじ４２の頭部４３を時計回りに回動させる。そうすると位置調整ねじ４２の軸部４４が高さ調整部材３１を水平移動方向Ｄの末端側に引き込む。そして高さ調整部材３１は上面１２を下る。これにより受け部材２１は下降する。
【００４３】
このように本実施形態の操作機構４１は、高さ調整部材３１をベース部材１１および受け部材２１に対して相対移動させる。なお位置調整ねじ４２は、受け部材２１の高さの変化に伴って、切り欠き１５内を上下移動することができる。
【００４４】
本実施形態の基礎スペーサー１０は、受け部材２１をベース部材１１に固定する受け部材固定手段５１，６１，７１をさらに備える。第１の受け部材固定手段５１は、雌ねじ孔５２と、長孔５３と、固定ねじ５４とを含む。雌ねじ孔５２はベース部材１１の下側突起部１７に設けられて水平方向に貫通する。長孔５３は受け部材２１の上側突起部２７に設けられて上下方向に延びる貫通孔である。
【００４５】
固定ねじ５４は外周面に雄ねじが形成された軸部５５と頭部５６とを有する。軸部５５は水平移動方向Ｄの外側から長孔５３を貫通し、雌ねじ孔５２に螺合する。頭部５６は十字溝を有する正六角形である。長孔５３の幅寸法は、軸部５５の径寸法よりも大きいが、頭部５６の寸法よりも小さい。したがって受け部材２１は固定ねじ５４を介してベース部材１１に分離不能に取り付けられる。そして頭部５６を締め付け方向に回転させて固定ねじ５４を雌ねじ孔５２に締め込むと、長孔５３が設けられた上側突起部２７が、雌ねじ孔５２が設けられた上側突起部２７および頭部５６に挟まれる。これにより受け部材２１はベース部材１１に上下方向移動不能に連結固定される。なお受け部材２１の固定を解除する場合、固定ねじ５４を緩め方向に回動させるとよい。なお操作機構４１による高さ調整の際、固定ねじ５４は、受け部材２１の高さの変化に伴って、長孔５３内を上下移動することができる。
【００４６】
第１の受け部材固定手段５１，６１は、水平移動方向Ｄの末端側に配置される。これらのうち受け部材固定手段５１は、高さ調整部材３１からみて一方の側方に配置される。これに対し受け部材固定手段６１は、高さ調整部材３１からみて他方の側方に配置される。受け部材固定手段６１も受け部材固定手段５１と共通する構成であるため、同一の符号を付して説明を省略する。
【００４７】
基礎スペーサー１０は、受け部材２１をベース部材１１に固定する第２の受け部材固定手段７１をさらに備える。第２の受け部材固定手段７１は、雌ねじ孔７２と、長孔７３と、固定ねじ７４とを含み、上述した受け部材固定手段５１と共通する構成である。ただし雌ねじ孔７２はベース部材１１の下側突起部１８に設けられる。長孔７３は受け部材２１の上側突起部２８に設けられ、上下方向に延びる貫通孔である。固定ねじ７４は、下側突起部１７の上縁に形成されて上下方向に延びる切り欠き８０に通される。そして、固定ねじ７４の頭部７６が下側突起部１７よりも水平移動方向Ｄの外側に配置される。また固定ねじ７４の軸部７５は、下側突起部１７から下側突起部１８まで延び、その先端領域が長孔７３を貫通する。そして軸部７５の先端部が下側突起部１８の雌ねじ孔７２に螺合する。
【００４８】
軸部７５の先端領域には、長孔７３よりも水平移動方向Ｄの末端側に平座金７７と、ばね座金７８と、２個の六角ナット７９が順次設けられる。これにより平座金７７は２個の六角ナット７９によって水平移動方向Ｄの末端側への移動を規制される。
【００４９】
長孔７３の幅寸法は、軸部７５の径寸法よりも大きいが、平座金７７の径寸法よりも小さい。したがって受け部材２１は固定ねじ７４を介してベース部材１１に分離不能に取り付けられる。そして頭部７６を締め付け回転させて固定ねじ７４を雌ねじ孔７２に締め込むと、長孔７３が設けられた上側突起部２８が、雌ねじ孔７２が設けられた上側突起部２８および平座金７７に挟まれる。これにより受け部材２１はベース部材１１に上下方向移動不能に連結固定される。なお操作機構４１による高さ調整の際、固定ねじ７４は、受け部材２１の高さの変化に伴って、長孔７３内および切り欠き８０内を上下移動することができる。
【００５０】
本実施形態によれば、受け部材固定手段５１，６１が水平移動方向Ｄの末端側に配置され、第２の受け部材固定手段７１が水平移動方向Ｄの先端側に配置される。したがって水平移動方向Ｄの両端側で受け部材２１を確りと固定することができる。
【００５１】
また本実施形態によれば、受け部材固定手段５１，６１、７１の固定ねじ５４，７４が全て水平移動方向Ｄの末端側から先端側へ延びる。そして固定ねじ５４，７４の頭部５６，７６が水平移動方向Ｄの外側に指向する。したがって作業者は、水平移動方向Ｄの末端側から固定ねじ５４，７４を容易に回動させることができる。
【００５２】
なお図示はしなかったが、簡易な実施形態として、受け部材固定手段５１，６１、７１のうちのいずれか１つ、あるいは２つを有してもよい。
【００５３】
基礎スペーサー１０の設置作業について説明する。従来の設置作業は、第１工程でコンクリート等の基礎を構築し、第２工程で基礎天端に複数の基礎スペーサー１０を載置し、第３工程で複数の基礎スペーサー１０がすべて同一の高さになるよう高さ調整を行い、第４工程で複数の基礎スペーサー１０に共通な梁を載置する。
【００５４】
この他、本実施形態では、上記の第３工程と第４工程を逆にしてもよい。あるいは本実施形態では、上記の第３工程と第４工程を並行に行ってもよい。あるいは本実施形態では、以下詳細に述べる手順で基礎スペーサー１０を設置してもよい。
【００５５】
まず作業者は、図８に示すように、土台または大引になる梁１００を上下逆にしておき、梁１００の下面１０１に基礎スペーサー１０を上下逆に取り付ける。上下逆の姿勢であっても、受け部材２１の各貫通孔２５ｈは、開口１３ｏないし切り欠き１３ｃによってベース部材１１側から容易に視認することができ、大引固定ねじ８１を各貫通孔２５ｈに通して梁１００の下面１０１に螺合させることが可能である。これにより基礎スペーサー１０を梁１００に容易に取り付けることができる。この作業は建築施工現場でもできるが、予め梁の出荷工場で済ませておくことで、建築施工の効率化を図ることができる。
【００５６】
次に作業者は、図９の右側に示すように、梁１００の下面１０１を下向きにして、建築施工現場に搬入した梁１００を、壁状に連続する基礎１１０の基礎天端１１１に載置する。
【００５７】
次に作業者は、各基礎スペーサー１０の末端側から、位置調整ねじ４２を回動させて、梁１００を所望の高さ位置に調整する。したがって本実施形態によれば、梁１００を基礎スペーサー１０に載せたまま、容易に高さ調整することが可能である。
【００５８】
次に作業者は、各基礎スペーサー１０の末端側から、２本の固定ねじ５４および１本の固定ねじ７４を締め付け方向に回転させて、梁１００を所望の高さ位置に固定する。
【００５９】
最後に作業者は、図９の左側に示すように、梁１００の両側方において、コンクリートねじ８２を貫通孔１３ｈに通して基礎天端１１１に螺合させることが可能である。これにより基礎スペーサー１０を基礎天端１１１に容易に取り付けることができる。なお上述したねじ８１，８２に併用して下面１３に接着材料を付着してもよい。
【００６０】
したがって本実施形態によれば、基礎１１０の一方壁面側から複数の基礎スペーサー１０に対して高さ調整作業および固定作業をすることができ、基礎１１０の他方壁面側へ行く必要がない。したがって建築施工の効率化を図ることができる。
【００６１】
次に本発明の変形例を説明する。図示はしなかったが、基礎スペーサー１０は、連続する複数本の梁の継ぎ目に設置してもよい。これにより１個の基礎スペーサー１０で２本の梁を支持することができる。
【００６２】
また他の変形例として、受け部材２１の中央部２５には、上方に向かって突出する第２の壁部を１対の壁部２６，２６間に設けてもよい。第２の壁部は梁の端面と接触して、梁が長手方向に移動することを規制する。
【００６３】
また他の変形例として、貫通孔１３ｈ，２５ｈを増減させてもよい。また貫通孔２５ｈを１対の壁部２６に設けてよい。
【００６４】
次に本発明の他の実施形態につき説明する。図１０は、本発明の他の実施形態になる基礎スペーサーを模式的に示す説明図である。なおこのうち、上述した実施形態と共通する部分については同一の符号を付す。基礎スペーサー８３は、基礎１１０に載置されるベース部材１１と、ベース部材１１の上方に配置されて梁１００を下方から支持する受け部材２１と、ベース部材１１と受け部材２１との間に配置され、水平移動方向Ｄに移動することにより、ベース部材１１と受け部材２１との間隔を変化させる高さ調整部材３１と、ベース部材１１と受け部材２１との間に配置され、高さ調整部材３１を水平方向に移動させる操作機構４１とを備える。ただし高さ調整部材３１が２個の部材３１１，３１２をクロスさせたクロス部材の中央回動軸に取り付けられる点で上述した実施形態と異なる。
【００６５】
基礎スペーサー８３の側方からみて、クロス部材を構成する２個の部材３１１，３１２は斜めに延びる。部材３１１の上端は回動軸８３４を介して受け部材２１に回動可能に連結される。部材３１１の下端は、ベース部材１１の上面８３３に摺動可能に接触する。部材３１２の下端は、回動軸８３５を介してベース部材１１に回動可能に連結される。部材３１２の上端は受け部材２１の下面２３に摺動可能に接触する。上面８３３および下面２３は互いに対向する水平な平坦面である。
【００６６】
２個の部材３１１，３１２の中央同士は回動軸３１ａを介して回動自在に連結される。さらに回動軸３１ａには雌ねじ孔を有する高さ調整部材３１が回動自在に連結される。高さ調整部材３１は水平移動方向Ｄに移動可能であり、２個の部材３１１，３１２とともにベース部材１１と受け部材２１との間隔を変化させることができる。
【００６７】
高さ調整部材３１の雌ねじ孔には水平移動方向Ｄに延びる位置調整ねじ４２の軸部４４の先端部が螺合する。これに対し位置調整ねじ４２の頭部４３は、ねじ係合部１４に水平移動方向Ｄに移動しないように係合する。位置調整ねじ４２およびねじ係合部１４は操作機構４１を構成する。
【００６８】
基礎スペーサー８３において、頭部４３を締付方向に回転させると、位置調整ねじ４２が高さ調整部材３１を近づける方向に引き込む。そうすると２個の部材３１１，３１２の交差角度が変化し、２個の部材３１１，３１２の姿勢が倒れ込む。これにより受け部材２１が下降する。また頭部４３を緩め方向に回転させると、位置調整ねじ４２が高さ調整部材３１を遠ざける方向に押し出す。そうすると２個の部材３１１，３１２の交差角度が変化し、２個の部材３１１，３１２の姿勢が立ち上がる。これにより受け部材２１が上昇する。
【００６９】
次に本発明のさらに他の実施形態につき説明する。図１１は、本発明のさらに他の実施形態になる基礎スペーサーを模式的に示す説明図である。なおこのうち、上述した実施形態と共通する部分については同一の符号を付して説明を省略し、異なる部分について述べる。基礎スペーサー８４は、上側部材３１３および下側部材３１４を有し、上側部材３１３の下端と下側部材３１４の上端と高さ調整部材３１は回動軸３１ａを介して回動自在に連結される。
【００７０】
上側部材３１３の上端は回動軸８３４を介して受け部材２１に回動可能に連結される。下側部材３１４の下端は回動軸８３５を介してベース部材１１に回動可能に連結される。なお上側部材３１３の下端はベース部材１１から離れ、下側部材３１４の上端は受け部材２１から離れている。基礎スペーサー８４においても、頭部４３を回転させると、２個の部材３１３，３１４の交差角度が変化して、受け部材２１が上昇または下降する。
【００７１】
次に本発明の別の実施形態につき説明する。図１２は、本発明の別の実施形態になる基礎スペーサーを模式的に示す説明図である。なおこのうち、上述した実施形態と共通する部分については同一の符号を付す。基礎スペーサー８５は、下側のベース部材１１と、上側の受け部材２１と、これらの部材に挟まれる高さ調整部材３１とを備える。そしてベース部材１１の上面１２は、高さ調整部材３１の水平移動方向Ｄの一方側から他方側に向かって高さが変化するように傾斜し、高さ調整部材３１と接触する傾斜面である。
【００７２】
また基礎スペーサーの高さ調整部材３１は、くさび形状に代えて、上面１２に沿って転がり可能な大小複数の円柱体にされる。受け部材２１はこれらの高さ調整部材３１に下方から支持され、受け部材２１の平坦な下面２３は、水平に保持される。基礎スペーサー８５においても、頭部４３を回転させると、受け部材２１が上昇または下降する。なお図示はしなかったが、下面２３を平坦な傾斜面とし、上面１２を水平な平坦面としてもよい。
【００７３】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【産業上の利用可能性】
【００７４】
この発明になる基礎スペーサーは、建築分野において有利に利用される。
【符号の説明】
【００７５】
１０  基礎スペーサー、      １１  ベース部材、      １２  上面、    １３    下面、      １３ｈ  貫通孔、      １４  ねじ係合部、      １５  切り欠き、      １７，１８  下側突起部、      ２１  受け部材、      ２２  上面、      ２３  下面、      ２５  中央部、      ２５ｈ  貫通孔、      ２６  壁部、      ２７，２８  上側突起部、      ３１  高さ調整部材、      ３１ｐ  水平方向先端、      ３１ｑ  水平方向末端、      ３２  下面、      ３３  上面、      ３５  案内部材、      ４１  操作機構、      ４２  位置調整ねじ、      ５１  受け部材固定手段、      ５４  固定ねじ、      ６１  受け部材固定手段、      ７１  第２の受け部材固定手段、      ７４  固定ねじ、      ８１  大引固定ねじ、      ８２  コンクリートねじ、      ８３，８４，８５  基礎スペーサー、      Ｄ  高さ調整部材の水平移動方向。
【図１】
2014163078.tif 000003
【図２】
2014163078.tif 000004
【図３】
2014163078.tif 000005
【図４】
2014163078.tif 000006
【図５】
2014163078.tif 000007
【図６】
2014163078.tif 000008
【図７】
2014163078.tif 000009
【図８】
2014163078.tif 000010
【図９】
2014163078.tif 000011
【図１０】
2014163078.tif 000012
【図１１】
2014163078.tif 000013
【図１２】
2014163078.tif 000014